(57)【特許請求の範囲】
【請求項１】
筐体内部に弾性的に吊支した外槽と、回転中心軸を鉛直方向に有し前記外槽内に回転自在に支持し洗濯物を収容する内槽と、この内槽に給水する給水弁と、前記外槽に連結した排水管と、前記外槽の上端に固着した外槽カバーと、前記内槽の内底部に回転自在に設けた回転翼と、前記内槽または回転翼を駆動する駆動手段と、前記内槽内に温風を送風する送風手段と、前記送風手段により送風される空気を加熱する加熱手段と、前記駆動手段、送風手段、加熱手段などの動作を制御し洗い、すすぎ、脱水、乾燥の一連の行程を逐次制御する制御手段とを備え、前記外槽は、上端外周に前記排水管と連通した溢水口を設け、前記外槽カバーの天面に設けた穴と前記溢水口とを密閉嵌着するバイパス管を設けた洗濯乾燥機。
【請求項２】
筐体内部に弾性的に吊支した外槽と、回転中心軸を鉛直方向に有し前記外槽内に回転自在に支持し洗濯物を収容する内槽と、この内槽に給水する給水弁と、前記外槽に連結した排水管と、前記外槽の上端に固着した外槽カバーとを備え、前記外槽は、上端外周に前記排水管と連通した溢水口を設け、前記外槽カバーの天面に設けた穴と前記溢水口とを密閉嵌着するバイパス管を設けた洗濯機。
【発明の詳細な説明】
【０００１】
【発明の属する技術分野】
本発明は、内槽内に温風を送風して洗濯物を乾燥させる行程を有し、洗濯から乾燥までを一貫して実施できる洗濯乾燥機および内槽内に収容した洗濯物を洗濯、脱水する洗濯機に関するものである。
【０００２】
【従来の技術】
従来、この種の洗濯乾燥機は図３に示すように構成していた。以下、その構成について説明する。
【０００３】
図３に示すように、筐体１は、内部に複数のサスペンション２によって弾性的に吊り下げた外槽３を設け、脱水時の振動をサスペンション２によって吸収する構成としている。外槽３の内部には、洗濯物および乾燥対象物を収容する内槽４を中空で２重構造とした洗濯・脱水軸５を中心に回転可能に配設し、内槽４の内底部に洗濯物や乾燥対象物を撹拌する回転翼６を回転自在に配設している。
【０００４】
また、内槽４の内部周壁には小孔（図示せず）を多数設けるとともに、上方には流体バランサ７を設けている。回転翼６はその形状を外周を傾斜面とした鍋型にすることにより、乾燥行程においては、乾燥対象物を回転翼６の回転による遠心力で傾斜面に沿って上方へと舞い上がりやすくしている。
【０００５】
モータ８は、外槽３の底部に取り付け、洗濯または脱水時に回転力の伝達を洗濯・脱水軸５に切り換えるクラッチ９と洗濯・脱水軸５を介して、内槽４または回転翼６に連結している。回転翼６は外周部に傾斜面１０を有する略鍋型の形状をし、撹拌用突出部１１を形成している。
【０００６】
熱交換器１２は、循環する湿った温風を除湿するもので、一端を循環路切り換え弁１３、伸縮自在の下部蛇腹状ホース１４を介して外槽３の下部に接続し、他端を乾燥用送風機１５の一端に接続している。乾燥用送風機１５の他端は、加熱手段であるヒータ１６を有する温風供給路１７に接続し、上部蛇腹状ホース１８を通って、内槽４へ繋がり循環する経路を構成している。
【０００７】
外槽３には、外槽３の上面を気密的に覆う外槽カバー１９を設けており、この外槽カバー１９に伸縮自在の上部蛇腹状ホース１８からの温風噴出口２０を開口している。また、外槽３は排水管２１を連結し、外槽３の上端に排水管２１と連通した溢水口２２を設け、外槽カバー１９上に水が溢れたときの水を機外に排出するようにしている。さらに、外槽カバー１９に中蓋２３を開閉自在に設け、衣類を出し入れするようにしている。
【０００８】
筐体カバー２４は筐体１の上部を覆うもので、開閉蓋２５を開閉自在に有し、制御装置２６を設けるとともに、内槽４に給水する給水弁２７を設けている。また、外槽３の底部に外槽３内に水を排水する排水弁２８を設けている。冷却用送風機２９は、筐体１の側面に取り付け、筐体１の内部に外槽３、熱交換器１２などを冷却するように送風できるよう構成している。
【０００９】
制御装置２６は、モータ８、クラッチ９、循環路切り換え弁１３、乾燥用送風機１５、ヒータ１６、給水弁２７、排水弁２８、冷却用送風機２９などの動作を制御し、洗濯、すすぎ、脱水、乾燥の各行程を制御するようにし、また給水弁２７は外槽カバー１９に水密的に結合する構成をとっている。
【００１０】
上記構成において動作を説明する。洗濯行程では、開閉蓋２５と中蓋２３を開けて、内槽４に洗濯物と洗剤を投入し、運転を開始すると給水弁２７を開いて所定の水位まで給水した後、モータ８を駆動する。このとき、伝達機構部のクラッチ９によりモータ８の動力を洗濯軸を介して回転翼６に伝達し、回転翼６が回転することで、洗濯物が回転翼６の撹拌用突出部１１に引っかかり、中心部へ引き込まれる。内槽４の中心下層部の洗濯物は、引き込まれた洗濯物により、内槽４の上層部へ押し上げられる。このようにして内槽４内の洗濯物を撹拌して、洗濯物同士、または内槽４の内壁や回転翼６との接触により作用する機械力と、水流力により行われる。
【００１１】
脱水行程では、洗濯終了後、排水弁２８を開いて内槽４内の水を排水管２１より排水した後、伝達機構部のクラッチ９を脱水側に切り換えて、モータ８の動力を脱水軸を介し内槽４に伝達して回転させ、洗濯物に遠心力を与えることにより、水分を洗濯物から分離することで行う。
【００１２】
乾燥行程では、クラッチ９を洗濯側に切り換えてモータ８を駆動して回転翼６に伝達し、回転翼６を急速に正転、反転することで、脱水後に内槽４の内壁に張り付いた洗濯物を引き剥がす。つぎに、排水弁２８を閉じて循環路切り換え弁１３を開く。そして回転翼６を正転、反転させて撹拌用突出部１１で洗濯物を引っかけて撹拌しながら、乾燥用送風機１５とヒータ１６とにより温風を温風噴出口２０に送る。温風噴出口２０より内槽４に吹き込まれた温風は、洗濯物から水分を蒸発させた後、内槽４から外槽３の内側へ出た後、下部蛇腹状ホース１４を通過して、熱交換器１２へ至る。
【００１３】
洗濯物の水分を奪って湿気を含んだ温風が、外槽３の内壁や熱交換器１２内を通過しているとき、筐体１の側面に設置した冷却送風機２９による外部空気の流入で、外槽３や熱交換器１２の外壁は冷却されることになり、その内部では、水分の結露が起こり、湿った温風は除湿されて乾燥用送風機１５へ戻る。この循環路で温風を循環させることにより、内槽４内の乾燥対象物を乾燥させることができる。
【００１４】
【発明が解決しようとする課題】
このような従来の洗濯乾燥機では、乾燥行程にて、外槽３内で温風を循環しながら、回転翼６の正転、反転で洗濯物を撹拌して乾燥しているが、熱交換性能を高めるよう外槽３からの温風漏れを防止するため、外槽３からの中蓋２３を含む外槽カバー１９取り付け部における密封性を高めている。
【００１５】
ここで、万一、給水弁２７が故障して給水が止まらない状態が起こったとき、外槽３内には一方的に水が溜まっていく。水道水圧が低い場合は、外槽３内で外槽カバー１９の下面に達した水は徐々に圧力を高め、外槽カバー１９および中蓋２３の取り付け部の密封性を劣化させ、外槽カバー１９の天面に水が徐々に溢れてくるが、溢水口２２より排水管２１へと水を逃がし機外へと排出する。
【００１６】
一方、水道水圧が高い場合は、外槽３内で外槽カバー１９の下面に水が速く達するとともに圧力が急激に高まり、外槽カバー１９の天面に水が溢れる前に、外槽カバー１９および中蓋２３の取り付け部において密封性を急激に劣化させて、多量の水が四方、八方へと飛散し、冷却用送風機２９等の充電部に付着し絶縁性を劣化させたり、床面を水で濡らしてしまう不具合を有していた。
【００１７】
本発明はこのような従来の課題を解決するもので、万一、給水弁が故障して給水が止まらない状態が起こっても、水道水圧に関係なく、外槽より溢れた水による機体の絶縁性能の劣化を防止し、床面を濡らすのを防止することを目的としている。
【００１８】
【課題を解決するための手段】
本発明は上記目的を達成するために、筐体内部に弾性的に吊支し排水管を連結した外槽内に、回転中心軸を鉛直方向に有し洗濯物を収容する内槽を回転自在に支持し、この内槽に給水弁により給水し、内槽の内底部に回転翼を回転自在に設け、内槽または回転翼を駆動手段により駆動し、加熱手段により加熱された温風を送風手段により内槽内に送風し、制御手段により駆動手段、送風手段、加熱手段などの動作を制御し洗い、すすぎ、脱水、乾燥の一連の行程を逐次制御するよう構成し、外槽は、上端外周に排水管と連通した溢水口を設け、外槽の上端に固着した外槽カバーの天面に設けた穴と溢水口とを密閉嵌着するバイパス管を設けたものである。
【００１９】
これにより、万一、給水弁が故障して給水が止まらない状態が起こっても、水道水圧に関係なく、外槽より溢れた水による機体の絶縁性能の劣化を防止でき、床面を濡らすのを防止することができる。
【００２０】
【発明の実施の形態】
本発明の請求項１に記載の発明は、筐体内部に弾性的に吊支した外槽と、回転中心軸を鉛直方向に有し前記外槽内に回転自在に支持し洗濯物を収容する内槽と、この内槽に給水する給水弁と、前記外槽に連結した排水管と、前記外槽の上端に固着した外槽カバーと、前記内槽の内底部に回転自在に設けた回転翼と、前記内槽または回転翼を駆動する駆動手段と、前記内槽内に温風を送風する送風手段と、前記送風手段により送風される空気を加熱する加熱手段と、前記駆動手段、送風手段、加熱手段などの動作を制御し洗い、すすぎ、脱水、乾燥の一連の行程を逐次制御する制御手段とを備え、前記外槽は、上端外周に前記排水管と連通した溢水口を設け、前記外槽カバーの天面に設けた穴と前記溢水口とを密閉嵌着するバイパス管を設けた洗濯乾燥機であり、万一、水道水圧が高い場合に給水弁が故障して給水が止まらない状態が起こっても、外槽カバーに到達した水を外槽カバーの天面に設けた穴からバイパス管へと速やかに逃がし、溢水口から排水管を通って、機内で漏れることなく機外へと排出でき、外槽より溢れた水が機内部品に付着して機体の絶縁性能の劣化するのを防止でき、加えて床面を濡らすのを防止することができる。
【００２１】
請求項２に記載の発明は、筐体内部に弾性的に吊支した外槽と、回転中心軸を鉛直方向に有し前記外槽内に回転自在に支持し洗濯物を収容する内槽と、この内槽に給水する給水弁と、前記外槽に連結した排水管と、前記外槽の上端に固着した外槽カバーとを備え、前記外槽は、上端外周に前記排水管と連通した溢水口を設け、前記外槽カバーの天面に設けた穴と前記溢水口とを密閉嵌着するバイパス管を設けた洗濯機であり、万一、水道水圧が高い場合に給水弁が故障して給水が止まらない状態が起こっても、外槽カバーに到達した水を外槽カバーの天面に設けた穴からバイパス管へと速やかに逃がし、溢水口から排水管を通って、機内で漏れることなく機外へと排出でき、外槽より溢れた水が機内部品に付着して機体の絶縁性能の劣化するのを防止でき、加えて床面を濡らすのを防止することができる。
【００２２】
【実施例】
以下、本発明の一実施例について、図面を参照しながら説明する。なお、従来例と同じ構成のものは同一符号を付して説明を省略する。
【００２３】
図１および図２に示すように、外槽３０は、下部に排水管３１を連結し、上部において上端の略環状リブ３０ａより低い高さの位置に、排水管３１と連通した溢水口３２を設け、環状リブ３０ａより低い位置に外槽３０を気密的に覆うように外槽カバー３３を固着している。外槽カバー３３には、伸縮自在の上部蛇腹状ホース１８からの温風噴出口２０を開口するとともに、溢水口３２に近接した穴３４を設けている。
【００２４】
バイパス管３５は略逆Ｕ字状に形成し、外槽カバー３３より高く、略環状リブ３０ａより低い位置関係を有し、溢水口３２と穴３４を水密に連通するよう固着している。また、給水弁３６は注水管３７を介して外槽カバー３３と水密に固着している。さらに、外槽カバー３３の中央には中蓋３８を開閉自在に設け、衣類を出し入れするようにし、中蓋３８を閉止したときは中蓋３８と外槽カバー３３は気密となるよう構成している。他の構成は従来例と同じである。
【００２５】
制御装置２６は、図２に示すように、マイクロコンピュータで構成した制御手段３９を有し、パワースイッチング手段３２を介して、モータ（駆動手段）８、クラッチ９、循環路切り換え弁１３、乾燥用送風機（送風手段）１５、ヒータ（加熱手段）１６、排水弁２８、冷却用送風機２９、給水弁３６などの動作を制御し、洗い、すすぎ、脱水、乾燥の各行程を制御する。入力設定手段４１は、運転コースなどの設定、運転のスタート、一時停止などを行うもので、制御手段３９は入力設定手段４１からの情報を入力して、その情報を基に表示手段４２で表示して使用者に知らせる。
【００２６】
水位検知手段４３は内槽４内の水位を検知し、その出力を制御手段３９に入力している。記憶手段４４は、制御手段３９により制御するのに必要なデータを記憶している。布量検知手段４５は内槽４内に投入した洗濯物の量を検知するもので、内槽４内に洗濯物を投入した状態でモータ８を所定時間オンして駆動した後、モータ８をオフしたときのモータ８または内槽４の惰性回転数の変化により洗濯物の量を検知し、その出力を制御手段３９に入力している。なお、４６は商用電源、４７は電源スイッチである。
【００２７】
上記構成において動作を説明する。洗濯行程では、開閉蓋２５と中蓋３８を開けて、内槽４に洗濯物と洗剤を投入し、運転を開始すると、給水弁３６を開いて注水管３７を通じて外槽３０および内槽４内に所定の水位まで給水した後、モータ８を駆動する。
【００２８】
このとき、伝達機構部のクラッチ９によりモータ８の動力を洗濯軸を介して回転翼６に伝達し、回転翼６が回転することで、洗濯物が回転翼６の撹拌用突出部１１に引っかかり、中心部へ引き込まれる。内槽４の中心下層部の洗濯物は、引き込まれた洗濯物により、内槽４の上層部へ押し上げられる。このようにして内槽４内の洗濯物を撹拌して、洗濯物同士、または内槽４の内壁や回転翼６との接触により作用する機械力と、水流力により行われる。
【００２９】
脱水行程では、洗濯終了後、排水弁２６を開いて内槽４内の水を排水した後、伝達機構部のクラッチ９を脱水側に切り換えて、モータ８の動力を脱水軸を介し内槽４に伝達して回転させ、洗濯物に遠心力を与えることにより、水分を洗濯物から分離することで行う。
【００３０】
乾燥行程では、クラッチ９を洗濯側に切り換えてモータ８を駆動して回転翼６に伝達し、回転翼６を急速に正転、反転することで、脱水後に内槽４の内壁に張り付いた洗濯物を引き剥がす。つぎに、排水弁２８を閉じて循環路切り換え弁１３を開く。そして回転翼６を正転、反転させて撹拌用突出部１１で洗濯物を引っかけて撹拌しながら、乾燥用送風機１５とヒータ１６により温風を温風噴出口２０に送る。温風噴出口２０より内槽４に吹き込まれた温風は、洗濯物から水分を蒸発させた後、内槽４から外槽３の内側へ出た後、下部蛇腹状ホース１４を通過して、熱交換器１２へ至る。
【００３１】
洗濯物の水分を奪って湿気を含んだ温風が、外槽３の内壁や熱交換器１２内を通過しているとき、筐体１の側面に設置した冷却送風機２９による外部空気の流入で、外槽３や熱交換器１２の外壁は冷却されることになり、その内部では、水分の結露が起こり、湿った温風は除湿されて乾燥用送風機１５へ戻る。この循環路で温風を循環させることにより、内槽４内の乾燥対象物を乾燥させることができる。
【００３２】
ここで、給水弁３６が故障して内槽４および外槽３０内への給水が止まらない状態が起こったとき、水道水圧が低い場合または高い場合であっても、外槽カバー３３に水が到達し、さらに供給されつづけた水は外槽カバー３３の天面のバイパス管３５を通り、溢水口３２を通過して下部の排水管３１へと流れて機外へと排出される。
【００３３】
このように本実施例によれば、外槽カバー３３の天面にバイパス管３５を設け、溢水口３２に密閉嵌着させているため、万一、水道水圧が高い場合に給水弁３６が故障して給水が止まらない状態が起こっても、外槽カバー３３に到達した水を外槽カバー３３の天面に設けた穴３４からバイパス管３５へと速やかに逃がし、溢水口３２から排水管３１を通って、機内で漏れることなく機外へと排出でき、外槽３０より溢れた水が機内部品に付着して機体の絶縁性能の劣化するのを防止でき、加えて床面を濡らすのを防止することができる。
【００３４】
なお、本実施例では、洗濯乾燥機について説明したが、外槽上部に溢水口を設け、中蓋を中央に配設し、この中蓋が閉止時に気密となるように設けた外槽カバーを外槽の上部に気密となるよう固着し、外槽カバーの天面に穴を設けて、この穴と溢水口を密閉嵌着させた洗濯機においても、給水流量に関係なく同様の効果が得られることはいうまでもない。
【００３５】
【発明の効果】
以上のように本発明の請求項１に記載の発明によれば、筐体内部に弾性的に吊支した外槽と、回転中心軸を鉛直方向に有し前記外槽内に回転自在に支持し洗濯物を収容する内槽と、この内槽に給水する給水弁と、前記外槽に連結した排水管と、前記外槽の上端に固着した外槽カバーと、前記内槽の内底部に回転自在に設けた回転翼と、前記内槽または回転翼を駆動する駆動手段と、前記内槽内に温風を送風する送風手段と、前記送風手段により送風される空気を加熱する加熱手段と、前記駆動手段、送風手段、加熱手段などの動作を制御し洗い、すすぎ、脱水、乾燥の一連の行程を逐次制御する制御手段とを備え、前記外槽は、上端外周に前記排水管と連通した溢水口を設け、前記外槽カバーの天面に設けた穴と前記溢水口とを密閉嵌着するバイパス管を設けたから、万一、水道水圧が高い場合に給水弁が故障して給水が止まらない状態が起こっても、外槽カバーに到達した水を外槽カバーの天面に設けた穴からバイパス管へと速やかに逃がし、溢水口から排水管を通って、機内で漏れることなく機外へと排出でき、外槽より溢れた水が機内部品に付着して機体の絶縁性能の劣化するのを防止でき、加えて床面を濡らすのを防止することができる。
【００３６】
また、請求項２に記載の発明によれば、筐体内部に弾性的に吊支した外槽と、回転中心軸を鉛直方向に有し前記外槽内に回転自在に支持し洗濯物を収容する内槽と、この内槽に給水する給水弁と、前記外槽に連結した排水管と、前記外槽の上端に固着した外槽カバーとを備え、前記外槽は、上端外周に前記排水管と連通した溢水口を設け、前記外槽カバーの天面に設けた穴と前記溢水口とを密閉嵌着するバイパス管を設けたから、万一、水道水圧が高い場合に給水弁が故障して給水が止まらない状態が起こっても、外槽カバーに到達した水を外槽カバーの天面に設けた穴からバイパス管へと速やかに逃がし、溢水口から排水管を通って、機内で漏れることなく機外へと排出でき、外槽より溢れた水が機内部品に付着して機体の絶縁性能の劣化するのを防止でき、加えて床面を濡らすのを防止することができる。
【図面の簡単な説明】
【図１】本発明の一実施例の洗濯乾燥機の断面図
【図２】同洗濯乾燥機のブロック回路図
【図３】従来の洗濯乾燥機の断面図
【符号の説明】
１    筐体
４    内槽
６    回転翼
８    モータ（駆動手段）
１５  乾燥用送風機（送風手段）
１６  ヒータ（加熱手段）
３０  外槽
３１  排水管
３２  溢水口
３３  外槽カバー
３４  穴
３５  バイパス管
３６  給水弁
３９  制御手段
【図１】
0004329260.tif 000002
【図２】
0004329260.tif 000003
【図３】
0004329260.tif 000004